(57)【要約】      （修正有）【課題】表面にタッチパネルが設けられたコンピュータを、操作性の低下を防ぎつつ収容することができるコンピュータ用防水ケースを提供する。【解決手段】コンピュータ用防水ケース１は、コンピュータ１００の側面、裏面及び表面に沿って配置されるケース本体１０を有し、ケース本体は、防水性を有する材質によって形成する。さらに、タッチパネルに対応する位置に形成された開口部と、コンピュータの表面のうち、タッチパネルの外側に位置する外側領域１０２と密着する密着部１６を有し、密着部１６は、タッチパネル１０１を囲んで配置される。【選択図】図１
0003169141.tif 000002
【実用新案登録請求の範囲】
【請求項１】
略板状のコンピュータであって、その表面の少なくとも一部にタッチパネルが配置されたコンピュータを収容するコンピュータ用防水ケースにおいて、
前記コンピュータの側面、裏面及び表面に沿って配置されるケース本体と、該ケース本体の内側に形成される収容空間と、を備え、
前記ケース本体は、防水性を有する材質によって形成されており、前記タッチパネルに対応する位置に形成された開口部と、前記コンピュータの表面のうち、該タッチパネルの外側に位置する外側領域と密着する密着部と、を有しており、
前記密着部は、前記外側領域において該タッチパネルを囲んで配置される、コンピュータ用防水ケース。
【請求項２】
前記コンピュータは、押圧操作される操作ボタンを有しており、
前記ケース本体は、前記操作ボタンに対応する位置に設けられた押圧部と、該押圧部の周囲に設けられた弾性体と、を備えている、請求項１に記載のコンピュータ用防水ケース。
【請求項３】
前記ケース本体は、伸縮自在であって、
前記ケース本体が伸びた状態において、前記開口部を介して前記コンピュータを前記収容空間外から該収容空間内に移動可能に構成されている、請求項１又は請求項２に記載のコンピュータ用防水ケース。
【請求項４】
前記ケース本体は、蛇腹構造を有している、請求項３に記載のコンピュータ用防水ケース。
【請求項５】
前記ケース本体が縮んだ状態において、該ケース本体を固定する螺子部材を更に備える請求項３又は請求項４に記載のコンピュータ用防水ケース。
【請求項６】
前記ケース本体と前記コンピュータとを係合する係合部材を更に備えており、
前記係合部材は、前記コンピュータの表面に固定される固定面と、前記ケース本体と係合する第一係合部と、を有しており、
前記ケース本体には、前記第一係合部と係合する第二係合部が形成されており、
前記密着部は、前記第二係合部よりも前記開口部側に配置されている、請求項１又は請求項２に記載のコンピュータ用防水ケース。
【請求項７】
前記係合部材は、ファスナーによって構成されている、請求項６に記載のコンピュータ用防水ケース。
【考案の詳細な説明】
【技術分野】
【０００１】
本考案は、コンピュータを収容するコンピュータ用防水ケースに関し、特に板状のタブレット型コンピュータを収容するコンピュータ用防水ケースに関する。
【背景技術】
【０００２】
近年、タブレット型コンピュータ等のように持ち運び可能なコンピュータが普及しており、コンピュータを水から保護するためのコンピュータ用防水ケースが提供されている（例えば、特許文献１参照）。例えば、特許文献１に記載のコンピュータ用防水ケースは、表面に表示部が設けられたコンピュータを収容するケースであって、表示部に対応する位置に防水性透明フィルムを配置している。
【先行技術文献】
【特許文献】
【０００３】
【特許文献１】特開２００２−２８０７５３号公報
【考案の概要】
【考案が解決しようとする課題】
【０００４】
ところで、近年、タブレット型コンピュータ等において、表示部の表側にタッチパネルを設けたものがある。例えば、このようなタッチパネルを有するコンピュータの表面に防水性透明フィルムを配置すると、ユーザがタッチパネルに直接触れることができず、タッチパネルの操作性が低下するおそれがあった。
【０００５】
本考案は、上記の事情に鑑みて為されたもので、表面にタッチパネルが設けられたコンピュータを、操作性の低下を防ぎつつ収容することができるコンピュータ用防水ケースを提供することを例示的課題とする。
【課題を解決するための手段】
【０００６】
上記の課題を解決するために、本考案の例示的側面としてのコンピュータ用防水ケースは、略板状のコンピュータであって、その表面の少なくとも一部にタッチパネルが配置されたコンピュータを収容するコンピュータ用防水ケースにおいて、前記コンピュータの側面、裏面及び表面に沿って配置されるケース本体と、該ケース本体の内側に形成される収容空間と、を備え、前記ケース本体は、防水性を有する材質によって形成されており、前記タッチパネルに対応する位置に形成された開口部と、前記コンピュータの表面のうち、該タッチパネルの外側に位置する外側領域と密着する密着部と、を有しており、前記密着部は、前記外側領域において該タッチパネルを囲んで配置される。
【０００７】
本考案に係るコンピュータ用防水ケースは、防水性を有するケース本体を備えており、ケース本体の内側に形成された収容空間にコンピュータを収容するように構成されている。ケース本体は、防水性を有するため、ケース外側からケース内側の収容空間への水の侵入を阻止することができる。
【０００８】
また、ケース本体には、タッチパネルに対応する位置に開口部が形成されており、ユーザは、開口部を介してコンピュータの表面を直接接触することができる。よって、タッチパネルの操作性の低下を抑制することができる。また、ケース本体には、タッチパネルの外側領域と密着する密着部が形成されているため、開口部を介してケース外部から収容空間に水が侵入することを防ぐことができる。
【０００９】
すなわち、本考案に係るコンピュータ用防水ケースによれば、タッチパネルの操作性の低下を防ぎつつコンピュータを収容し、かつ収容したコンピュータへの水の侵入を阻止することができる。
【００１０】
なお、タッチパネルとは、ディスプレイへの直接入力に用いられる入力装置であり、液晶ディスプレイ等の表示部と一体化して使用されるものである。本考案においてタッチパネルの構造は、特に限定されない。しかし、防水性を確保するために、タッチパネルは、例えば、その表面にガラス板や樹脂プレート等の防水層を有することが望ましい。
【００１１】
本考案に係るコンピュータ用防水ケースは、コンピュータが、押圧操作される操作ボタンを有しており、前記ケース本体は、前記操作ボタンに対応する位置に設けられた押圧部と、該押圧部の周囲に設けられた弾性体と、を備えていてもよい。
【００１２】
このような構成によれば、ユーザによって押圧部が押された際に、弾性体が変形して押圧部を操作ボタン側に移動させることができる。したがって、コンピュータ用防水ケースに収容した状態で、ユーザが操作ボタンを操作することができる。
【００１３】
また、本考案に係るコンピュータ用防水ケースは、前記ケース本体が、伸縮自在に構成されており、該ケース本体が伸びた状態において、前記開口部を介して前記コンピュータを前記ケース内部に収容可能に構成されていてもよい。ケース本体を伸縮自在となるように構成することにより、ケース本体を伸ばした状態において、コンピュータをケース本体に対して出し入れすることができる。また、ケース本体の収容空間にコンピュータを配置した状態においてケース本体を縮ませることにより、ケース本体の内部の収容空間にコンピュータを配置することができる。
【００１４】
なお、ケース本体は、伸縮性を有する材質によって構成することにより伸縮自在に構成されていてもよいし、その構造によって伸縮自在に構成されていてもよい。具体的には、伸縮性を有する材質としては、水密性及び伸縮性を有するブチルゴムを例示することができる。
【００１５】
また、ケース本体は、蛇腹構造を有していてもよい。蛇腹構造によって、ケース本体を伸縮自在に構成することができる。
【００１６】
更に、本考案に係るコンピュータ用ケースは、ケース本体が縮んだ状態において、ケース本体を固定する螺子部材を更に備えていてもよい。螺子部材を備えることにより、ケース本体を縮んだ状態で保つことができる。よって、コンピュータを収容した後にコンピュータ用防水ケースが伸びることを防ぐことが可能となる。
【００１７】
本考案に係るコンピュータ用防水ケースは、前記ケース本体と前記コンピュータとを係合する係合部材を更に備えており、前記係合部材は、前記コンピュータの表面に固定される固定面と、前記ケース本体と係合する第一係合部と、を有しており、前記ケース本体には、前記第一係合部と係合する第二係合部が形成されており、前記密着部は、前記第二係合部よりも前記開口部側に配置されていてもよい。
【００１８】
コンピュータの表面に固定される係合部材を更に備えることにより、係合部材を介してコンピュータとケース本体との相対位置を固定することができる。例えば、ケース本体が伸縮性を有する材質からなり、ケース本体を伸ばした状態で収容空間にコンピュータを配置すると、ケース本体が縮む方向に変形することによって、コンピュータを収容空間内に収容できなくなってしまうおそれがある。しかし、係合部材を用いてケース本体とコンピュータとの相対位置を固定することにより、コンピュータを収容空間内に適切に配置することができる。一方、第一係合部と第二係合部との係合を解除することにより、ケース本体からコンピュータを取り出すことができる。
【００１９】
また、ケース本体における係合部材との係合部分（第二係合部）と、開口部と、の間に密着部が設けられているため、密着部によって開口部を介して収容空間に水が侵入することを防ぐことができる。
【００２０】
また、係合部材は、ファスナーによって構成されていてもよい。具体的な第一係合部と第二係合部との係合部分の構造としては、例えば、互いに嵌合する凹部と凸部を設け、これらが嵌合することにより係合される構造や、互いに噛み合う歯を設け、これらを噛み合わせたり、噛み合わせを解除したりすることにより開閉する線ファスナー構造、及びフック状に起毛されたフック起毛部と、ループ状に密集して起毛されたループ起毛部と、を備え、互いを押し付けることにより係合する面ファスナー構造を例示することができる。
【考案の効果】
【００２１】
本考案に係るコンピュータ用防水ケースによれば、タッチパネルの操作性の低下を防ぎつつコンピュータを収容し、かつ収容したコンピュータへの水の侵入を阻止することができる。また、開口部を介してタッチパネルの表面を視認可能に構成されているため、タッチパネルの奥側に配置された表示部の視認性の低下も抑制することができる。
【考案を実施するための最良の形態】
【００２２】
＜実施の形態１＞
次に、本考案に係るコンピュータ用防水ケースの実施の形態１について、図面を参照しながら説明する。図１は、コンピュータ１００を収容した状態のコンピュータ用防水ケース１の正面図であり、図２は、断面図である。図２（ａ）は、Ａ−Ａ断面図であり、図２（ｂ）は、Ｂ−Ｂ断面図である。
【００２３】
コンピュータ用防水ケース１に収容されたコンピュータ１００は、表面にタッチパネル１０１が配置され、その後方（裏面側）に表示部(図示せず)が配置されている。図１に示す状態において、タッチパネル１０１及び表示部は、コンピュータの表面の全領域ではなく、前面よりも一回り小さい領域に形成されており、タッチパネルの外周には、外側領域を構成する枠部１０２が設けられている。枠部１０２及びタッチパネル１０１の表面には、防水性のガラス（図示せず）が設けられている。ユーザがタッチパネル１０１の表面のガラスに接触することにより、入力操作できるように構成されている。
【００２４】
コンピュータ用防水ケース１は、コンピュータ１００の側面、裏面及び表面に沿って配置されるケース本体１０と、ケース本体１０の内側に形成される収容空間２０（図２参照）と、を有する。ケース本体１０は、コンピュータ１００の表面に沿った前面部１１と、裏面に沿った後面部１２と、この前面部１１と後面部１２との間に配置され、コンピュータ１００の側面を覆う外周部１３と、を備える。
【００２５】
ケース本体１０は、防水性を有するブチルゴムによって形成されており、ケース外側から収容空間２０への水の侵入を阻止するように構成されている。収容空間２０は、後面部１２、外周部１３、及び前面部１１によって囲われた空間であって、コンピュータ１００が収容された状態では、前面部１１に形成された開口部１１ａに対応する位置のコンピュータの表面、後面部１２、外周部１３、及び前面部１１によって閉鎖された空間が収容空間となる。
【００２６】
前面部１１と後面部１２とは、衝撃からコンピュータを保護するため、比較的硬い材質によって形成されている。外周部１３は、伸縮変形可能に構成するため、比較的柔らかい材質によって形成されている。外周部１３は、複数の折り返し部が形成された蛇腹構造である。折り返し部は、ケース本体１０の外側に向けて突出する複数の山折り部１３ａと、ケース本体１０の内側に向けて突出する複数の谷折り部１３ｂと、を有する。外周部１３は、前面部１１及び後面部１２と垂直に交わる方向（図示する前後方向）に伸縮可能に構成されている。
【００２７】
ケース本体１０の前面部１１には、前面部１１と後面部１２との相対位置を固定する螺子部材３０を挿入するための第一穴部１４が形成されている。ケース本体１０の後面部１２には、螺子部材３０と螺合する第二穴部１５が形成されている。第二穴部１５の内周面には、螺子部材３０と螺合する螺子溝（図示せず）が形成されている。螺子部材３０を前面部１１の第一穴部１４に挿入し、かつ螺子部材３０を第二穴部１５と螺合することにより、前面部１１と後面部１２との相対位置が固定される。また、前面部１１の第一穴部１４の周囲には、コンピュータ用防水ケースの水密性を確保するためのパッキン１９が設けられている。
【００２８】
前面部１１には、タッチパネル１０１に対応する位置を開口する開口部１１ａが形成されている。開口部１１ａは、図１に示す状態において、タッチパネル１０１よりも大きな領域であって、タッチパネル１０１と周囲の枠部１０２の一部とを視認可能に開口形成されている。前面部１１のコンピュータと対向する面には、コンピュータ１００の表面に向かって突出する密着部１６が形成されている。密着部１６は、図１に示す状態において、開口部１１ａの周囲において、開口部１１ａを囲むように設けられている。
【００２９】
図２（ａ）に示すように、密着部１６とタッチパネル１０１の表面とは密着している。したがって、開口部１１ａを介してコンピュータ１００の表面に水が侵入した場合であっても、密着部１６とタッチパネル１０１との間を水が通過することを防ぐことができ、収容空間２０内への水の侵入を阻止することができる。
【００３０】
また、密着部１６は、図１に示す状態において（平面視にて）、タッチパネル１０１よりも外側であって、枠部１０２に対応する位置（外側領域）と密着するように配置されている。このように枠部１０２に対応する位置に密着部１６を設けることにより、密着部１６の接触によってタッチパネル１０１が誤作動することを防ぐことができる。更に、開口部１１ａをタッチパネル１０１の領域よりも大きく形成することにより、タッチパネル１０１の前方に配置された前面部１１によって、タッチパネル１０１の操作性が低下したりタッチパネル１０１の奥側に配置された表示部の視認性が低下したりすることを抑制することができる。
【００３１】
また、図２（ｂ）に示すように、コンピュータの表示部の下方には、操作ボタン１０３が配置されている。操作ボタン１０３に対応する位置の前面部１１には、押圧部１７が設けられている。この押圧部１７の周囲には、弾性変形する弾性体１８が設けられている。このように弾性体１８を設けることにより、ユーザによって押圧部１７が押された際に、弾性体１８が変形して押圧部１７を操作ボタン１０３側に移動させることができる。したがって、コンピュータ用防水ケースに収容した状態で、ユーザが操作ボタンを操作することができる。
【００３２】
次いで、このように構成されたコンピュータ用防水ケース１のコンピュータの収容態様について説明する。図３は、コンピュータ用防水ケース１にコンピュータを収容する過程を模式的に示した図である。なお、図３においては、コンピュータ用防水ケースを右前方から視認した斜視図である。
【００３３】
図３（ａ）は、コンピュータ用防水ケースにコンピュータを収容する前の状態である。前面部１１を後面部１２に対して離れる方向に移動させて、コンピュータ用防水ケース１の外周部１３を前後方向に伸ばした状態である。この状態においては、外周部１３の前後方向の長さ（厚み）は、コンピュータ１００の側面の厚みよりも長く構成されている。この状態において、開口部１１ａを介してコンピュータ１００を収容空間２０内に挿入することができる。図３（ｂ）は、コンピュータ１００を収容空間２０内に配置した状態である。
【００３４】
図３（ｂ）の状態において、コンピュータ１００の表面に当接する位置まで前面部１１を後面部１２側に移動させることにより、図３（ｃ）に示す状態となる。このとき、後面部１２は、コンピュータ１００の裏面と当接し、前面部１１は、コンピュータ１００の表面と当接している。図３（ｃ）に示す状態において、コンピュータ１００の前側から前面部１１の第一穴部１４に螺子部材３０を挿入し、螺子部材３０と後面部１２の第二穴部１５とを螺合させることにより、前面部１１と後面部１２との相対位置が固定される。このようにして、コンピュータ用防水ケース１にコンピュータ１００を内包することができる。
【００３５】
以上のように、本実施の形態１に係るコンピュータ用防水ケース１によれば、コンピュータのタッチパネルを直接操作可能な状態においてコンピュータを収容することができる。また、開口部を介しての収容空間への水の侵入が防止されているため、開口部を介して接触可能な部分以外への水の接触を回避することができ、防水性を保つことができる。また、外周部が厚み方向において伸縮可能に構成されているため、厚みの異なるコンピュータを内部に収容することが可能となる。
【００３６】
＜実施の形態２＞
次いで、実施の形態２に係るコンピュータ用防水ケース１Ａを図４及び図５に基づいて説明する。図４は、実施の形態２に係るコンピュータ用防水ケース１Ａにコンピュータ１００を収容した状態の正面図である。図５は、図４に示すＣ−Ｃ断面である。実施の形態１に係るコンピュータ用防水ケース１は、外周部が伸縮可能に構成されているが、実施の形態２に係るコンピュータ用防水ケース１Ａは、ケース本体全体が伸縮可能な材質によって形成されている。なお、実施の形態１と同様の構成については、同符号を用いて説明を省略する。
【００３７】
コンピュータ用防水ケース１Ａは、コンピュータ１００の側面、裏面及び表面に沿って配置されるケース本体４０と、ケース本体４０と係合される係合部材５０と、を有する。係合部材５０は、コンピュータ１００の表面に接着される固定面５１と、ケース本体と係合する第一係合部５２と、を有する。ケース本体４０の前面部４１には、開口部４１ａと、開口部４１ａの周囲に配置された密着部４６と、第一係合部５２と係合される第二係合部４９と、が形成されている。図４に示す状態において、密着部４６は、第二係合部４９よりも開口部４１ａ側に配置されている。
【００３８】
また、第一係合部５２と第二係合部４９は、互いに係合する凹凸部が形成されている。第一係合部５２と第二係合部４９とが係合することにより、係合部材５０を介して、ケース本体４０とコンピュータ１００とが係合される。このように構成されたコンピュータ用防水ケースにコンピュータを収容する際には、まずコンピュータ１００の表面に係合部材５０を固定する。次いで、ケース本体４０を伸ばした状態で、コンピュータ１００の裏面、側面及び前面をケース本体４０によって覆う。次いで、第一係合部５２と第二係合部４９とを係合する。このような構成によれば、ケース本体４０をコンピュータ１００の所定の領域（裏面、側面、及び表面の一部）を覆う状態で固定することができる。
【００３９】
このように、本実施の形態２に係るコンピュータ用防水ケースによっても、コンピュータのタッチパネルを直接操作可能な状態においてコンピュータを収容することができる。また、開口部を介しての収容空間への水の侵入がふさがれているため、開口部を介して接触可能な部分以外への水の接触を回避することができ、防水性を保つことができる。
【００４０】
＜実施の形態３＞
次いで、実施の形態３に係るコンピュータ用防水ケース１Ｂを図６に基づいて説明する。図６は、実施の形態３に係るコンピュータ用防水ケース１Ｂの断面図であり、実施の形態１におけるＡ−Ａ断面に相当する位置の断面を示している。
【００４１】
実施の形態３に係るコンピュータ用防水ケース１Ｂは、外周部６３が螺子部材３０の内側に配置されている。また、コンピュータ用防水ケース１Ｂにおいては、ケース本体６０の外周部６３に密着部６６が設けられ、外周部６３と密着部６６とが一体化している。このように外周部６３に密着部６６を設けることによっても、防水性を確保することができる。更に、後面部６２に形成された第二穴部６４は、後面部６２を貫通して形成されている。
【００４２】
＜実施の形態４＞
次いで、実施の形態４に係るコンピュータ用防水ケース１Ｃを図７に基づいて説明する。図７は、実施の形態４に係るコンピュータ用防水ケース１Ｃの断面図であり、実施の形態１におけるＡ−Ａ断面に相当する位置の断面を示している。（ａ）は、コンピュータを収容した状態を示しており、（ｂ）は、ケース本体等を分解した状態を示している。
【００４３】
実施の形態４に係るコンピュータ用防水ケース１Ｃのケース本体は、第一ケース本体７０Ａと、第二ケース本体７０Ｂと、を有する。第一ケース本体７０Ａは、前面部７１、外周部７３、及び後面部の一部分である第一後面部７２Ａを構成する。一方、第二ケース本体７０Ｂは、後面部７２の他の部分である第二後面部７２Ｂを構成する。
【００４４】
第一後面部７２Ａは、第二後面部７２Ｂよりも外側に配置されている。第一後面部７２Ａ及び第二後面部７２Ｂは、互いに当接する傾斜面を有している。この傾斜面は、金属又はガラス等によって形成されている。傾斜面の表面の加工精度を高くすることにより、水密性を高めることができる。なお、傾斜面に対してテフロン（登録商標）コーティングを施してもよいし、ナイロンや硬質ゴムによって傾斜面をコーティングしてもよい。このような構成によっても水密性を高めることができる。
【００４５】
第一ケース本体７０Ａと、第二ケース本体７０Ｂと、によってケース本体７０を構成しているため、第一ケース本体７０Ａと第二ケース本体７０Ｂとを分離することによって、容易にコンピュータを収容することができる。具体的な収容方法としては、まず、第一ケース本体７０Ａと第二ケース本体７０Ｂとを分離した状態において、第二ケース本体７０Ｂ上にコンピュータ１００を載置する。そして、第一ケース本体７０Ａによって第二ケース本体７０Ｂを覆い、第一ケース本体７０Ａの傾斜面と第二ケース本体７０Ｂの傾斜面とを当接させる。次いで、コンピュータ１００の前側から前面部７１の第一穴部７４に螺子部材３０を挿入し、螺子部材３０と後面部７２の第二穴部７５とを螺合させることにより、第一ケース本体７０Ａと第二ケース本体７０Ｂとの相対位置が固定される。このようにして、コンピュータ用防水ケース１にコンピュータ１００を内包することができる。
【００４６】
また、実施の形態４に係るコンピュータ用防水ケース１Ｃの外周部は、（ａ）及び（ｂ）に示す蛇腹構造に限られない。（ｃ）は、変形例に係るコンピュータ用防水ケース１Ｃを示しており、このケースの外周部７３Ａは、ゴム部材によって構成されている。ゴム部材は、ケース本体の外側に向かって突出しており、図７における前後方向に伸縮可能に構成されている。このようにゴム部材に沿って外周部を形成することにより、外周部の前後方向における長さを容易に変更することができ、厚みの異なるコンピュータをも収容することが可能となる。なお、図７（ｃ）に示すコンピュータ用防水ケース１Ｃの外周部は、外側に突出しているが、例えば、内側に突出するように形成されていてもよい。
【００４７】
更に、図７（ｄ）に示すように、実施の形態４に係るコンピュータ用防水ケース１Ｃにおいて、第一ケース本体７０Ａの傾斜面と第二ケース本体の傾斜面との間にパッキン７７を設けてもよい。このようにパッキン７７を設けることにより、傾斜面同士を密着させて更に水密性を高めることが可能となる。
【００４８】
以上、本考案の好ましい実施の形態を説明したが、本考案はこれらに限定されるものではなく、これらの組み合わせをも含むものである。更に、本考案の要旨の範囲内で様々な変形や変更が可能である。
【図面の簡単な説明】
【００４９】
【図１】実施の形態１に係るコンピュータ用防水ケースの正面図である。
【図２】図１に示すコンピュータ用防水ケースの断面図である。（ａ）はＡ−Ａ断面であり、（ｂ）はＢ−Ｂ断面である。
【図３】実施の形態１に係るコンピュータ用防水ケースへのコンピュータの収容態様を模式的に示した図である。
【図４】実施の形態２に係るコンピュータ用防水ケースを示した図である。
【図５】図４に示すＣ−Ｃ断面である。
【図６】実施の形態３に係るコンピュータ用防水ケースを示した図である。
【図７】実施の形態４に係るコンピュータ用防水ケースを示した図である。
【符号の説明】
【００５０】
１，１Ａ，１Ｂ、１Ｃ…コンピュータ用防水ケース、  １０…ケース本体、  １１…前面部、  １２…後面部、  １３…外周部、  １４…第一穴部、  １５…第二穴部、  １６…密着部、  １７…押圧部、  １８…弾性体、  １９…パッキン、  ２０…収容空間、  ３０…螺子部材、  ４０…ケース本体、  ４０ａ…開口部、  ４６…密着部、  ４９…第二係合部、  ５０…係合部材、  ５１…固定面、  ５２…第一係合部、  ６０…ケース本体、  ６０ａ…開口部、  ６１…前面部、  ６２…後面部、  ６３…外周部、  ６４…第一穴部、  ６５…第二穴部、  ６６…密着部、  ７０…ケース本体、  ７０Ａ…第一ケース本体、  ７０Ｂ…第二ケース本体、  ７１…前面部、  ７２Ａ…第一後面部、  ７２Ｂ…第二後面部、  ７３，７３Ａ…外周部、  ７４…第一穴部、  ７５…第二穴部、  ７６…密着部、  ７７…パッキン、  １００…コンピュータ、  １０１…表示部、  １０２…枠部、  １０３…操作ボタン
【図１】
0003169141.tif 000003
【図２】
0003169141.tif 000004
【図３】
0003169141.tif 000005
【図４】
0003169141.tif 000006
【図５】
0003169141.tif 000007
【図６】
0003169141.tif 000008
【図７】
0003169141.tif 000009